(57)【要約】  強磁性体である金属板２０と、金属板２０の主面２０ｃに積層されたガラスシート３０と、金属板２０とガラスシート３０との間に介在する接着層４０とを備える。ガラスシート３０の厚さｔ１と接着層４０の厚さｔ２との合計ｔ３が、７００μｍ以下である。これにより、表面１０ａに付着した汚れを容易に拭き取って除去できると共に、磁石を付着可能であり、さらには、ガラスシート３０の割れを防止できる。金属板２０は、鋼板であるのが好ましく、ガラスシート３０が積層される金属板２０の主面２０ｃは、塗装されているのが好ましい。
2018061885.tif 000002
【特許請求の範囲】
【請求項１】
強磁性体である金属板と、
前記金属板の主面に積層されたガラスシートと、
前記金属板と前記ガラスシートとの間に介在する接着層とを備え、
前記ガラスシートの厚さと前記接着層の厚さとの合計が、７００μｍ以下であることを特徴とする積層体。
【請求項２】
前記金属板は、鋼板であり、
前記ガラスシートが積層される前記金属板の主面は、塗装されていることを特徴とする請求項１に記載の積層体。
【請求項３】
前記ガラスシートは、前記金属板の一方の主面に積層された第１ガラスシート、及び、前記金属板の他方の主面に積層された第２ガラスシートからなり、
前記接着層は、前記金属板と前記第１ガラスシートとの間に介在する第１接着層、及び、前記金属板と前記第２ガラスシートとの間に介在する第２接着層からなることを特徴とする請求項１又は２に記載の積層体。
【請求項４】
前記ガラスシートは、無アルカリガラスシートであることを特徴とする請求項１〜３のいずれかに記載の積層体。
【請求項５】
前記積層体は、パネル形状であることを特徴とする請求項１〜４のいずれかに記載の積層体。
【請求項６】
マーカーによる書き込みをイレーザーによって消去可能な筆記用ボードであって、
請求項１〜５のいずれかに記載の積層体を備えることを特徴とする筆記用ボード。
【発明の詳細な説明】
【技術分野】
【０００１】
本発明は、積層体、及び、マーカーによる書き込みをイレーザーによって容易に消去できる筆記用ボードに関する。
【背景技術】
【０００２】
ホワイトボード等の筆記用ボードは、マーカー（例えばホワイトボードマーカーや水性マーカー）によって筆記面に書き込み可能である。マーカーによって筆記面に書き込まれたもの（以下、「書き込み」ともいう）は、イレーザー（例えば乾いた布）によって消去可能である。【０００３】
従来より、アクリル樹脂層又はホーロー材層を筆記面に備えるホワイトボードが知られている。アクリル樹脂層を筆記面に備えるホワイトボードの製造では、塗装された金属板の主面に紫外線硬化型のアクリル樹脂を塗布した後、紫外線の照射によってアクリル樹脂を硬化させる方法がとられる。ホーロー材層を筆記面に備えるホワイトボードの製造では、塗装された金属板の主面にホーロー材を焼き付ける方法がとられる。これらのホワイトボードは、磁石を付着することができる。【０００４】
また、特許文献１では、ホワイトボードに使用可能な多機能擬似ディスプレイが提案されている。多機能擬似ディスプレイは、燃合糸からなるスクリーンと、２枚のガラス板とを備える。２枚のガラス板は、真空抽出法によってスクリーンの両面にそれぞれ密着する。この状態で溝に嵌め込むことにより、ガラス板及びスクリーンは機械的に固定される。このような多機能ディスプレイでは、ガラス板の一方の主面がスクリーンと密着し、他方の主面が露出する。露出する他方の主面が筆記面として利用できる。
【先行技術文献】
【特許文献】
【０００５】
【特許文献１】実用新案登録第３１７３２０４号
【発明の概要】
【発明が解決しようとする課題】
【０００６】
前述のアクリル樹脂層を筆記面に備えるホワイトボードでは、使用に伴い、アクリル樹脂が劣化及び剥離しやすい。また、洗浄の際に洗浄剤を用いた場合、アクリル樹脂の劣化が進行する。これらのアクリル樹脂の劣化及び剥離した部分では、イレーザーによる書き込みの消去が阻害されることから、消去後も筆記面にマーカーのインクが残存し、その結果、汚れが発生する。【０００７】
前述のホーロー材層を筆記面に備えるホワイトボードでは、焼き付け不足による表面傷や微小な凹凸が形成される。これらの表面傷及び微小な凹凸は、イレーザーによる書き込みの消去を阻害することから、消去後も筆記面にマーカーのインクが残存し、その結果、汚れが発生する。【０００８】
前述の特許文献１に記載されるホワイトボードに使用可能な多機能擬似ディスプレイは、スクリーンとガラス板とで構成される。このため、多機能擬似ディスプレイに磁石を付着することができない。また、ガラス板をスクリーンに密着させた状態で溝に嵌め込むことによって固定するので、ガラス板が割れやすい。発生した割れは、停止することなく、全体に伸展しやすいので、ガラス板の一部（破片）が剥離し、脱落及び飛散するおそれがある。【０００９】
本発明は、上記事情に鑑みてなされたものであり、付着した汚れを容易に拭き取って除去できると共に、磁石を付着可能であり、さらには、ガラスシートの割れを防止できる積層体、及び、それを用いた筆記用ボードを提供することを目的とする。
【課題を解決するための手段】
【００１０】
本発明の一実施形態に係る積層体及び筆記用ボードは、以下の通りである。【００１１】
（１）強磁性体である金属板と、前記金属板の主面に積層されたガラスシートと、前記金属板と前記ガラスシートとの間に介在する接着層とを備え、前記ガラスシートの厚さと前記接着層の厚さとの合計が、７００μｍ以下であることを特徴とする積層体。【００１２】
（２）前記金属板は、鋼板であり、前記ガラスシートが積層される前記金属板の主面は、塗装されていることを特徴とする上記（１）に記載の積層体。【００１３】
（３）前記ガラスシートは、前記金属板の一方の主面に積層された第１ガラスシート、及び、前記金属板の他方の主面に積層された第２ガラスシートからなり、前記接着層は、前記金属板と前記第１ガラスシートとの間に介在する第１接着層、及び、前記金属板と前記第２ガラスシートとの間に介在する第２接着層からなることを特徴とする上記（１）又は（２）に記載の積層体。【００１４】
（４）前記ガラスシートは、無アルカリガラスシートであることを特徴とする上記（１）〜（３）のいずれかに記載の積層体。【００１５】
（５）前記積層体は、パネル形状であることを特徴とする上記（１）〜（４）のいずれかに記載の積層体。【００１６】
（６）マーカーによる書き込みをイレーザーによって消去可能な筆記用ボードであって、上記（１）〜（５）のいずれかに記載の積層体を備えることを特徴とする筆記用ボード。
【発明の効果】
【００１７】
本発明の積層体は、金属板と、金属板に積層されたガラスシートと、金属板とガラスシートとの間に介在する接着層とを備える。このような積層体において、金属板を強磁性体とすると共に、ガラスシートの厚さと接着層の厚さとの合計を７００μｍ以下と薄くする。これにより、積層体の表面のガラスシートに磁石を付着させることができる。また、積層体の表面がガラスシートで構成されるので、表面に付着した汚れをふき取り等によって容易に除去できる。さらに、ガラスシートが接着層を介して金属板と一体化されているので、ガラスシートの割れを防止できる。【００１８】
本発明の筆記用ボードは、金属板と、金属板に積層されたガラスシートと、金属板とガラスシートとの間に介在する接着層とを備える。このような筆記用ボードにおいて、金属板を強磁性体とすると共に、ガラスシートの厚さと接着層の厚さとの合計を７００μｍ以下と薄くする。これにより、筆記面となるガラスシートに磁石を付着させることができる。また、筆記面がガラスシートで構成されるので、消去後にマーカーのインクが残存することによる筆記面の汚れを低減できる。さらに、ガラスシートが接着層を介して金属板と一体化されているので、ガラスシートの割れを防止できる。
【図面の簡単な説明】
【００１９】
【図１】図１は、第１実施形態の筆記用ボードを示す模式図であり、同図（ａ）は全体を示す斜視図、同図（ｂ）は筆記面の周辺の一部を示す断面図である。
【図２】図２は、第２実施形態の筆記用ボードを示す模式図であり、同図（ａ）は全体を示す斜視図、同図（ｂ）は筆記面の周辺の一部を示す断面図である。
【発明を実施するための形態】
【００２０】
以下、本発明の第１及び第２実施形態に係る筆記用ボードについて図面を参照しながら説明する。以下では、本発明の第１及び第２実施形態に係る筆記用ボードを総称して「本実施形態の筆記用ボード」ともいう。
【００２１】
図１は、第１実施形態の筆記用ボードを示す模式図であり、同図（ａ）は全体を示す斜視図、同図（ｂ）は筆記面の周辺の一部を示す断面図である。同図に示す筆記用ボード１０は、マーカーによって書き込み可能な筆記面１０ａを表側及び裏側にそれぞれ有する。筆記面１０ａは、いずれも、矩形状である。筆記用ボード１０は、受け皿１１、スタンド１２、ロック機構（図示なし）及びカバー１３を備える。受け皿１１には、イレーザーやマーカー、磁石等が載置される。
【００２２】
スタンド１２は、筆記用ボード１０を回転可能に保持する（同図（ａ）の実線矢印参照）。また、ロック機構は、筆記面１０ａが鉛直な姿勢で筆記用ボード１０が固定される状態と、筆記用ボード１０が回転可能な状態とを切り換える。このようなスタンド１２及びロック機構により、筆記用ボード１０を１８０°回転させれば、筆記用ボード１０の表側及び裏側の筆記面１０ａの位置を入れ替えることができる。
【００２３】
筆記用ボード１０は、同図（ｂ）に示すように、金属板２０と、２枚の透明なガラスシート３０と、金属板２０と各ガラスシート３０との間に介在する透明な接着層４０とを備える。筆記用ボード１０（筆記面１０ａ）に磁石を付着可能とするため、金属板２０は強磁性体である。その金属板２０と各ガラスシート３０とは、接着層４０によって一体化されている。ガラスシート３０で構成される筆記面１０ａは、イレーザーによって消去できる状態でマーカーによって書き込み可能である。
【００２４】
第１実施形態の筆記用ボード１０は、筆記面１０ａを表側及び裏側に有するので、ガラスシート３０は、第１ガラスシート３１及び第２ガラスシート３２からなる。そのうちの第１ガラスシート３１は、金属板２０の一方の主面２０ａに積層され、第２ガラスシート３２は、金属板２０の他方の主面２０ｂに積層される。また、接着層４０は、第１接着層４１及び第２接着層４２からなる。第１接着層４１は、金属板２０と第１ガラスシート３１との間に介在し、第２接着層４２は、金属板２０と第２ガラスシート３２との間に介在する。
【００２５】
金属板２０、ガラスシート３０及び接着層４０からなる積層体Ｌの周辺端部は、カバー１３で覆われている。
【００２６】
本実施形態の筆記用ボード１０に磁石を付着させる場合、磁石は、強磁性体である金属板２０に引き寄せられる。すなわち、磁石は、接着層４０及びガラスシート３０を介して金属板２０に付着する。このため、ガラスシート３０の厚さｔ１（μｍ）と接着層４０の厚さｔ２（μｍ）との合計（ｔ３、以下「合計厚さ」ともいう）が厚いと、付着させる磁石と金属板２０との距離が長くなることから、磁石が金属板２０に引き寄せられる力が低下する。その結果、磁石が筆記用ボード１０に付着することなく、滑り落ちる。これを防止して磁石を筆記用ボード１０に付着可能とするため、合計厚さｔ３を７００μｍ以下とする。これにより、例えば、磁石によって筆記用ボード１０に紙を留めることが可能になる。
【００２７】
筆記面１０ａを構成するガラスシート３０は、アクリル樹脂に比べ、劣化しにくく、耐傷性（耐スクラッチ性）に優れる。また、ガラスシート３０はホーロー材のように焼き付ける必要がないので、焼き付け不足による表面傷や微小な凹凸が発生しない。このため、本実施形態の筆記用ボード１０は、消去後にマーカーのインクが筆記面１０ａに残存することによる汚れを低減できる。
【００２８】
また、ガラスシート３０を用いるので、筆記用ボード１０の筆記面１０ａは高滑となり、書き込み時にマーカーがよくすべり、書き味が良好となる。
【００２９】
金属板２０とガラスシート３０は、接着層４０によって一体化される。このため、ガラスシート３０の貼り合わされる主面の全面が接着剤によって金属板２０に固定される。これに伴い、ガラスシート３０が割れにくくなる。また、ガラスシート３０が割れた場合でも割れの伸展を停止でき、局所的な割れに留めることができる。このため、ガラスシート３０の一部が剥離し、脱落及び飛散するのを防止できる。
【００３０】
マーカーによる書き込みを長期間放置した後で消去する場合、従来のホワイトボードでは、インクが筆記面に残存しやすくなる。この場合でも、後述の実施例で明らかにするように、本実施形態の筆記用ボード１０は、インクの筆記面１０ａへの残存を低減でき、書き込みをきれいに消去することができる。この理由は明確でないが、アクリル樹脂層やホーロー材層と比べ、ガラスシート３０の表面が平滑であり、表面品位が優れるからと考えられる。
【００３１】
前述の通り、筆記面１０ａを構成するガラスシート３０は、耐傷性（耐スクラッチ性）に優れるので、傷による微小な窪みが表面に形成されにくい。このため、本実施形態の筆記用ボード１０は、長年に亘って使用した状態であっても、長期間放置された書き込みをきれいに消去することができる。
【００３２】
各々のガラスシート３０と接着層４０と合計厚さｔ３は、７００μｍ以下であるが、磁石の付着性を向上させる観点から、６００μｍ以下であることが好ましい。一方、合計厚さｔ３が３０μｍ未満であると、それに応じてガラスシート３０の厚さｔ１を薄くする必要があり、その結果、ガラスシート３０の取り扱いが困難となる。このため、合計厚さｔ３は、３０μｍ以上とすることが好ましい。
【００３３】
合計厚さｔ３を７００μｍ以下とするため、ガラスシート３０の厚さｔ１は、４００μｍ以下であることが好ましく、３００μｍ以下であることがより好ましく、２００μｍ以下であることが最も好ましい。一方、ガラスシート３０の厚さｔ１が１０μｍ未満になると、ガラスシート３０の取り扱いが困難となるので、ガラスシート３０の厚さｔ１は１０μｍ以上であることが好ましい。接着層４０の厚さｔ２は、２０μｍ〜４００μｍであることが好ましい。
【００３４】
金属板２０の厚さｔ４が薄すぎると、金属板２０、ガラスシート３０及び接着層４０からなる積層体Ｌが可撓性となり、筆記用ボード１０の剛性が不足するおそれがある。このため、金属板２０の厚さｔ４は、積層体Ｌが非可撓性となるとともに筆記用ボード１０の剛性を確保できるように適宜設定すればよい。金属板２０に普通鋼鋼板を用いる場合であれば、金属板２０の厚さｔ４は、例えば、１．５ｍｍ程度とすることができる。
【００３５】
金属板２０は、前述の通り、強磁性体、すなわち、磁石が引き寄せられる材質とする。このような強磁性体の金属としては、Ｆｅ、Ｎｉ及びＣｏがあり、金属板２０には、それらを主成分とする鋼板又は金属板を用いることができる。製造コストを削減する観点から、強磁性体の鋼板を用いることが好ましい。強磁性体の鋼板としては、例えば、普通鋼鋼板やめっき鋼板を用いることができる。
【００３６】
美観を向上させる観点から、金属板２０（鋼板を含む）は、ガラスシート３０が積層される主面２０ｃが塗装されていることが好ましい。すなわち、金属板２０は、ガラスシート３０が積層される主面２０ｃに塗膜（図示なし）を備えることが好ましい。主面２０ｃが塗装されている金属板２０として、例えば、普通鋼鋼板やめっき鋼板を原板とする塗装鋼板を用いることができる。塗装された主面２０ｃ（塗膜）の色は、例えば、白色、灰色又は黒色とすることができる。塗装された主面２０ｃが白色又は灰色であれば、スクリーンとして筆記用ボード１０を利用でき、プロジェクタによって画像や映像等を筆記用ボード１０の筆記面１０ａに投影することができる。
【００３７】
ガラスシート３０は、ケイ酸塩ガラス、シリカガラスからなることが好ましく、ホウケイ酸ガラス、ソーダライムガラス、アルミノケイ酸塩ガラスからなることがより好ましく、無アルカリガラスからなることが最も好ましい。無アルカリガラスからなるガラスシートを用いると、耐傷性（耐スクラッチ性）がさらに向上することから、汚れをさらに低減できる。
【００３８】
ガラスシート３０は、オーバーフローダウンドロー法や、スロットダウンドロー法、リドロー法、フロート法等によって成形されたものが利用できる。それらのうちのオーバーフローダウンドロー法では、厚さ３００μｍ以下のガラスシートを成形しやすく、研磨や研削、ケミカルエッチング等によるガラスシートの厚さの調整が不要である。また、成形時にガラスシートの両方の主面が成形部材と接触しないので、得られたガラスシートの両方の主面は、火づくり面となり、研磨しなくても高い表面品位（例えば算術平均粗さＲａ（ＪＩＳ  Ｂ  ０６０１：２００１）が１０ｎｍ以下）を有する。このため、オーバーフローダウンドロー法によって成形されたガラスシートを用いれば、製造コストを削減しながら、汚れをさらに低減できるとともに、長期間放置された書き込みをさらにきれいに消去できる。したがって、オーバーフローダウンドロー法によって成形されることによって表面品位に優れるガラスシートを用いることが好ましい。この場合、ガラスシートの算術平均粗さＲａは、１０ｎｍ以下であることが好ましく、２ｎｍ以下であることがより好ましい。
【００３９】
接着層４０としては、例えば、両面粘着シート、熱可塑性接着シート、熱架橋性接着シート又はエネルギー硬化性の液体接着剤を用いることができる。より具体的には、接着層４０として、光学透明粘着シート、エチレン酢酸ビニル共重合体（ＥＶＡ）、熱可塑性ポリウレタン（ＴＰＵ）、シクロオレフィンポリマー（ＣＯＰ）、アクリル系熱可塑性接着シート、紫外線硬化型接着剤、熱硬化型接着剤又は常温硬化型接着剤を用いることができる。
【００４０】
第１実施形態の筆記用ボード１０は、金属板２０の一方の主面２０ａ及び他方の主面２０ｂにガラスシート３０を積層することから、筆記面１０ａを表側及び裏側に備える。このため、第１実施形態の筆記用ボード１０は、利便性に優れる。後述の第２実施形態の筆記用ボード１０のように、金属板２０の一方の主面２０ａにのみガラスシート３０を積層してもよい。
【００４１】
図２は、第２実施形態の筆記用ボード１０を示す模式図であり、同図（ａ）は全体を示す斜視図、同図（ｂ）は筆記面１０ａの周辺の一部を示す断面図である。同図に示す筆記用ボード１０は、前記図１に示す筆記用ボード１０と異なり、スタンド１２及びロック機構を備えることなく、取り付け具１４を備える。また、受け皿１１は、筆記用ボード１０の下部に固定される。この取り付け具１４により、筆記用ボード１０が壁面に設けられたフックに吊るされる。これにより、筆記用ボード１０は、筆記面１０ａが鉛直な状態で壁面に固定される。
【００４２】
加えて、第２実施形態の筆記用ボード１０では、同図（ｂ）に示すように、金属板２０の一方の主面２０ａにのみガラスシート３０が積層される。また、接着層４０は、ガラスシート３０が積層される金属板２０の一方の主面２０ａにのみ設けられる。このため、金属板２０の他方の主面２０ｂには、ガラスシートが積層されることなく、他方の主面２０ｂが露出する。その他方の主面２０ｂには、腐食防止のため、コーティングや塗装を施してもよい。金属板２０、ガラスシート３０及び接着層４０からなる積層体Ｌの周辺端部は、カバー１３で覆われている。
【００４３】
このような第２実施形態の筆記用ボード１０では、ガラスシート３０が筆記面１０ａを構成し、その筆記面１０ａは、イレーザーによって消去できる状態でマーカーによって書き込み可能である。第２実施形態の筆記用ボード１０は、金属板２０の一方の主面２０ａにのみガラスシート３０を積層することから、製造コストを削減できる。また、壁掛けによって筆記用ボード１０を設置することができるので、設置スペースの削減が可能となる。
【００４４】
なお、本発明は、上記実施形態の構成に限定されるものではなく、上記した作用効果に限定されるものでもない。本発明は、本発明の要旨を逸脱しない範囲で種々の変更が可能である。
【００４５】
上記実施形態では、金属板２０、ガラスシート３０及び接着層４０からなる積層体Ｌの周辺端部がカバー１３で覆われているが、積層体Ｌの周辺端部をカバー１３で覆うことなく、パネル形状としてもよい。例えば、建築物の壁面や電化製品の表面、家具の表面、パーテーション用ボードの表面等の一部又は全面に、パネル形状の積層体Ｌを設置することによって筆記用ボード１０を構成してもよい。この場合、筆記用ボード１０を単一のパネル形状の積層体Ｌで構成してもよく、筆記用ボード１０を複数のパネル形状の積層体Ｌを並べて配置することで構成してもよい。
【００４６】
また、金属板２０、ガラスシート３０及び接着層４０からなる積層体Ｌは、筆記用ボード１０に限らず、鏡面で独特の表面光沢を有するため、表面への筆記を目的としない内装材等の他の用途に用いてもよい。筆記を目的としない場合であっても、筆記用ボード１０として用いる場合と同様に、積層体Ｌの表面のガラスシートに磁石を付着させることができる。また、積層体Ｌの表面がガラスシートで構成されるので、表面に付着した汚れをふき取り等によって容易に除去できる。さらに、ガラスシートが接着層を介して金属板と一体化されているので、ガラスシートの割れを防止できる。
【実施例】
【００４７】
以下に、本発明の筆記用ボードについて、実施例に基づいて説明する。本実施例では、筆記用ボードに磁石で紙を留める試験、及び、マーカーによる書き込みを放置した後で消去する試験を行った。【００４８】
筆記用ボードに磁石で紙を留める試験では、前記図１に示すようなガラスシート３０を金属板２０の一方の主面２０ａ及び他方の主面２０ｂに積層した筆記用ボード１０を用いた。金属板２０として、市販の普通鋼鋼板を原板とする塗装鋼板を用い、その塗装鋼板の厚さは１．５ｍｍであった。また、塗装鋼板の一方の主面２０ａは白色に塗装され、他方の主面２０ｂは黒色に塗装されていた。第１ガラスシート３１及び第２ガラスシート３２として、オーバーフローダウンドロー法によって成形された無アルカリガラスシートを用いた。実施例１及び２のガラスシート３０の厚さｔ１は、第１ガラスシート３１と第２ガラスシート３２共に２００μｍとした。第１接着層４１及び第２接着層４２として、ＥＶＡを用いた。接着層４０の厚さｔ２は、実施例１で４００μｍ、実施例２で１５０μｍとした。【００４９】
また、比較例として、実施例１の各ガラスシート３０の厚さｔ１を５００μｍに変更した。表１に、実施例及び比較例における各ガラスシート３０の厚さｔ１、各接着層４０の厚さｔ２、合計厚さｔ３（一方のガラスシート３０の厚さｔ１と接着層４０の厚さｔ２との合計）及び付着性を示す。なお、付着性は、筆記用ボード１０の筆記面１０ａに市販のコピー用紙を市販の磁石で留めることによって判定した。【００５０】
【表１】
2018061885.tif 000003
【００５１】
表１の「付着性」欄の記号の意味は、以下の通りである。
○：磁石が筆記用ボードにしっかりと付着し、紙を留められたことを示す。
×：磁石が筆記用ボードに付着することなく、落下し、紙を留められなかったことを示す。【００５２】
表１より、比較例では、合計厚さｔ３を９００μｍとした。その結果、磁石が筆記用ボード１０に付着することなく、落下し、紙を留められなかった。これに対し、実施例１では、合計厚さｔ３を６００μｍとし、実施例２では、合計厚さｔ３を３５０μｍとした。その結果、磁石が筆記用ボード１０にしっかりと付着し、紙を留めることができた。【００５３】
実施例１の筆記用ボード１０を用い、市販の水性ホワイトボードマーカーで筆記用ボード１０の筆記面１０ａに書き込んだ。その書き込みを１０日間放置した後、市販のイレーザーで消去した。筆記面１０ａの書き込み及び消去した部分を目視観察したところ、インクの残存がなく、文字を認識できなかった。【００５４】
比較のため、市販のアクリル樹脂層を筆記面に備えるホワイトボードを準備した。このホワイトボードに市販の水性ホワイトボードマーカーで書き込んだ後、書き込みを１０日間放置し、その後、市販のイレーザーで消去した。筆記面の書き込み及び消去した部分を目視観察したところ、書き込まれていた文字が認識できる程度にインクが残存していた。【００５５】
これらの結果から、本発明の筆記用ボード１０によれば、インクの残存を低減できることが明らかになった。
【符号の説明】
【００５６】
１０    筆記用ボード
１０ａ  筆記面
１１    受け皿
１２    スタンド
１３    カバー
１４    取り付け具
２０    金属板
２０ａ  一方の主面
２０ｂ  他方の主面
２０ｃ  ガラスシートが積層される主面
３０    ガラスシート
３１    第１ガラスシート
３２    第２ガラスシート
４０    接着層
４１    第１接着層
４２    第２接着層
Ｌ      積層体
【図１】
2018061885.tif 000004
【図２】
2018061885.tif 000005
【国際調査報告】
2018061885.tif 000006
2018061885.tif 000007
2018061885.tif 000008
2018061885.tif 000009